(57)【要約】  本発明は産業用及び個人用として使われる皮膚トリートメント装置に関する。特に本発明は、駆動ユニット（２０）と、第１アタッチメント（３０）と、第２アタッチメント（４０）と、を備え、第１アタッチメント（３０）はブラシを備え、第２アタッチメントは脱毛又は毛抜きユニットを備え、第１アタッチメントはギアボックスを備え、第２アタッチメントはギアボックスを備え、第２アタッチメントに備えられたギアボックスは、少なくとも１．２５から４のギア減速を提供する。更に本発明は、人の皮膚トリートメントにこのような装置を使用する方法に関する。
2014521410.tif 000002
【特許請求の範囲】
【請求項１】
皮膚トリートメント装置（１０）であって、
駆動ユニット（２０）と、第１アタッチメント（３０）と、第２アタッチメント（４０）と、を備え、
前記第１アタッチメント（３０）はブラシを備え、前記第２アタッチメント（４０）は脱毛又は毛抜きユニットを備え、
前記第１アタッチメントはギアボックスを備え、前記第２アタッチメントはギアボックスを備え、前記第２アタッチメントに備わる前記ギアボックスは、少なくとも１．２５から４のギア減速を提供する皮膚トリートメント装置（１０）。
【請求項２】
前記ブラシがブラシヘッドを備え、前記ブラシヘッドは１ｃｍから５ｃｍの平均直径を有する、請求項２に記載の皮膚トリートメント装置（１０）。
【請求項３】
前記ギア減速と、前記平均直径のセンチメートル値と、の比が、２から３である、請求項２に記載の皮膚トリートメント装置（１０）。
【請求項４】
前記第１アタッチメントが偏心器を通して前記駆動ユニットに連結されている、請求項１〜３のいずれか一項に記載の皮膚トリートメント装置（１０）。
【請求項５】
皮膚トリートメント装置（１０）であって、
駆動ユニット（２０）と、アタッチメント（３０）と、を備え、
前記駆動ユニット（２０）は、出力エレメント（６０）と、回転支持エレメント（５０）と、を備え、
前記回転支持エレメント（５０）は突起を備え、前記アタッチメント（３０）は、皮膚トリートメントエレメント（３２）と、前記皮膚トリートメントエレメント（３２）のためのシャーシ（３４）と、を備え、
前記シャーシは、前記駆動ユニットの前記回転支持エレメント（５０）の前記突起と協働する多数の凹部を備え、
前記シャーシ（３４）は、前記回転支持エレメント（５０）によって支持されることができ、
前記突起は、前記凹部との係合位置に導かれることができるとともに、前記シャーシ（３４）が前記回転支持エレメント（５０）によって支持されている間には、前記凹部との係合解除位置に導かれることができる、請求項１〜４のいずれか一項に記載の皮膚トリートメント装置（１０）。
【請求項６】
前記凹部は歯付きリングを形成している、請求項１〜５のいずれか一項に記載の皮膚トリートメント装置（１０）。
【請求項７】
前記突起はラッチ形状（５４）として設けられる、請求項１〜６のいずれか一項に記載の皮膚トリートメント装置（１０）。
【請求項８】
皮膚トリートメント装置（１０）であって、
前記駆動ユニット（２０）から前記駆動軸（７０）に回転運動を伝達する駆動軸（６２）を備えた第１アタッチメント（３０）を備え、
前記駆動軸（６２）はスプロケット（６６）と連結され、前記スプロケット（６６）は冠歯車（６８）と係合し、冠歯車（６８）は前記駆動軸（７０）に連結されている、請求項１〜７のいずれか一項に記載の皮膚トリートメント装置（１０）。
【請求項９】
人の皮膚トリートメント方法であって、
−振動ブラシで皮膚を処理する工程であって、駆動ユニットと、前記ブラシを備えた第１アタッチメントと、を備えた皮膚トリートメント装置を用いて皮膚を処理する工程と；
−皮膚から体毛を除去する工程であって、駆動ユニットと、脱毛または毛抜きユニットを備えた第２アタッチメントと、を備えた皮膚トリートメント装置を用いて体毛を除去する工程と；を備え、
前記駆動ユニットは第１設定速度で作動することができ、前記設定速度は両工程に用いられる方法。
【請求項１０】
更に第２設定速度を使うことができる、請求項９に記載の方法。
【請求項１１】
振動ブラシで皮膚を処理する工程が、皮膚から体毛を除去する工程の前に２４から７２時間行われる、請求項１〜１０のいずれか一項に記載の方法。
【請求項１２】
振動ブラシで皮膚を処理する工程が、皮膚から体毛を除去する工程の前に６０分から１分行われる、請求項１〜１１のいずれか一項に記載の方法。
【請求項１３】
前記第１アタッチメントはギアボックスを備え、前記第２アタッチメントはギアボックスを備え、前記第２アタッチメントに備わる前記ギアボックスは、少なくとも１から２．５のギア減速を提供する、請求項１〜１２のいずれか一項に記載の方法。
【請求項１４】
キットであって、
駆動ユニット（１０）と、第１アタッチメント（３０）と、第２アタッチメントと、を備え、
前記第１アタッチメント（３０）はブラシを備え、前記第２アタッチメントは脱毛又は毛抜きユニットを備え、
前記第１アタッチメントはギアボックスを備え、前記第２アタッチメントはギアボックスを備え、前記第２アタッチメントに備わる前記ギアボックスは、少なくとも１から２．５のギア減速を提供するキット。
【発明の詳細な説明】
【技術分野】
【０００１】
本発明は産業用及び個人用として使われる皮膚トリートメント装置に関する。本装置は美容上又は健康上の利益を得るために使用され、例えばマッサージ効果、又は皮膚のクレンジングとリフレッシング、又は化粧組成物を塗るために使用できる。
【背景技術】
【０００２】
清潔で健康的な美しい皮膚と顔への関心を満たすため、幅広い種類の保湿剤及びその他の化粧品がある。化粧品工業のこれらの提案に比べて、スキンケア器具及び装置の活用は多少限られてはいるが、その分野でもまた多くの努力がなされている。
【０００３】
米国特許第２，７１４，７８８号には、電動モータ、研磨パッドホルダ、及び研磨パッドを備えた体毛除去装置が開示されている。この装置は、例えば、脚などの体毛を摩擦によって皮膚から除去することを目的としている。
【０００４】
欧州特許第１  ４２９  ６７０  Ａ２号には、ハンドルと、ハンドルの近接端に位置するブラシとを備えた超音波洗浄装置が開示されている。洗浄装置は、更に、ブラシに作動可能に取り付けられた超音波振動器を備えている。ハンドルの内部空間に置かれた電池が超音波振動器に動力を供給する。超音波振動が振動器からブラシを経て毛材に伝達される。このようにして洗浄装置は皮膚の洗浄に使用することができる。
【０００５】
国際特許第２０１０／１００５２７  Ａ１号にはフェイスケアのための器具が開示されている。このフェイスケア器具は、管状体と、管状体から軸方向に延びる、いわゆるフェイスパックとを備えている。このフェイスパックは、軸周りを回転するフェイス用具と、軸に連結したサブアセンブリとを備えている。このサブアセンブリは、管状体から延びる軸線周りに回転するように軸支されたスピナーを含む。スピナーは、対向して半径方向に延び、弾性的に付勢された解除フィンガを備える。これらの解除フィンガはアプリケータ用具（例えば顔面用具）を、スピナーと共に回転させるように、取り外し可能に実装する。スピナーはスリップ軸受によってメインギアに取り付けられている。
【先行技術文献】
【特許文献】
【０００６】
【特許文献１】米国特許第２，７１４，７８８号
【特許文献２】欧州特許第１  ４２９  ６７０  Ａ２号
【特許文献３】国際特許第２０１０／１００５２７  Ａ１号
【発明の概要】
【発明が解決しようとする課題】
【０００７】
本発明は、多目的に使用できる皮膚トリートメント装置の提供を目的とする。皮膚トリートメント装置は１つ又はいくつかの用具での使用に適しているべきであり、その使用は直感的で、しかも安全であるべきである。更に皮膚トリートメント装置は優しく、しかし各個人の好みと皮膚の性質に合わせた効果的な体毛の除去を提供するべきである。
【課題を解決するための手段】
【０００８】
本発明は産業用及び個人用として使われる皮膚トリートメント装置に関する。特に本発明は、駆動ユニット（２０）と、第１アタッチメントと、第２アタッチメントと、を備え、第１アタッチメントはブラシを備え、第２アタッチメントは脱毛（epilation）又は毛抜き（depilation）ユニットを備え、第１アタッチメントはギアボックスを備え、第２アタッチメントはギアボックスを備え、第２アタッチメントに備えられたギアボックスが少なくとも１．２５から４のギア減速を提供する。更に本発明は、人の皮膚トリートメントにこのような装置を使用する方法に関する。
【図面の簡単な説明】
【０００９】
【図１】第１アタッチメントを備える本発明の皮膚トリートメント装置の平面図を示す。
【図２】図１の皮膚トリートメント装置の側面図を示す。
【図３】第２アタッチメントを備える本発明の皮膚トリートメント装置の平面図を示す。
【図４】第１アタッチメントを備える皮膚トリートメント装置の一部切り取り側面図を示す。
【発明を実施するための形態】
【００１０】
皮膚トリートメント装置は駆動ユニットと、第１及び第２アタッチメントと、を備える。皮膚トリートメント装置は、２つ、３つ又はそれ以上のアタッチメントと共にキットとして提供してもよい。一時に１つのアタッチメントを駆動ユニットと共に用いることができる。それに加えて、又はその代わりに、駆動ユニットが２つ以上のアタッチメントを同時に作動させるようにしてもよい。しかしながら、一時に１つのアタッチメントを動作させることができる駆動ユニットが有用であることが判明している。したがって、アタッチメントは取り外し可能に駆動ユニットに取り付けられる。駆動ユニットは手動又はモータにより作動できる。多くの場合駆動ユニットは電動モータによって作動する。この電動モータは電池によって、例えば再充電可能な電池によって作動する。作動中に電源と接続するケーブルが必要な駆動ユニットも有用である。
【００１１】
第１アタッチメントは、例えばブラシ形状の皮膚トリートメント用具又はエレメントを備えることができ、出力エレメントを備えることができる。あるいはギアボックス形状などの出力エレメントは、駆動ユニットの一部とすることも可能である。それに代えて、又は追加して、駆動ユニットが更にギアボックス又は動力伝達エレメントを備えることができる。
【００１２】
第２アタッチメントは、毛抜き又は脱毛アタッチメントとすることができる。毛抜きアタッチメントは、皮膚表面より少し上一般的には皮膚の表面近くで体毛を切断することによって皮膚表面から体毛を除去することに使用される。これはシェービングとも呼ぶことができる。このようにして毛抜きは湿式シェービング処理で実施することができ、好ましくは、２枚、３枚、又は４枚以上の刃を備えたカートリッジ刃を使用する。また、毛抜き処理は、電動シェービング処理とすることもでき、一般的に刃の可動ブロックが、体毛のための開口を備える金属箔と相対的に移動する。本発明の別の有用な実施形態は、脱毛アタッチメント形状の第１アタッチメントを備える。脱毛処理では、体毛は引っ張られて皮膚から引き抜かれる。それゆえ、体毛の全体が皮膚から除去される。いずれの処理でも、特に脱毛処理では処理される皮膚の領域に、ある程度のストレスを引き起こす。例えば脱毛処理の場合、脱毛速度を上げることで、又は引き抜き用毛抜きなどの数を増やすことで、処理をより効率化できる。しかしながら、このような方法による効率化は、多くの場合、皮膚をよりストレスに晒し、時には痛みの感覚の増大を引き起こしてしまう。そのため、優しく、しかし効率的な処理の提供に対する要求が常に存在する。
【００１３】
皮膚トリートメント装置は、第１アタッチメントと共に使用した場合、かなりの効果があることが明らかになっている。ブラシで皮膚をトリートメントすると、ある程度のマッサージ効果とクレンジング効果を与えることができる。皮膚の外観は全体的に改善されうる。このほかに、第１アタッチメントは、（広く使われる）第２アタッチメントと共に使われると、皮膚トリートメント装置の効果を高めることができる。意外にも、特に脱毛処理による体毛除去においては、第１アタッチメントを使用する前に皮膚を第２アタッチメントで処理するとより効率的であることを見出した。このような効果はまだ十分には解明されていないが、第２アタッチメントによって皮膚表面の粒子が取り除かれ、それによって体毛へのアクセスが増大した可能性がある。これにより、第１アタッチメントによる除毛がより効率化される。
【００１４】
第１アタッチメントの回転数が状況に応じて適合された場合、特にこの効果が著しいことが判っている。第２アタッチメントと共に、特に脱毛アタッチメントと共に使用する駆動ユニットにとって、第２アタッチメントがギアボックスを備えること、及び第１アタッチメントに備えられたギアボックスが、少なくとも１．２５から１０のギア減速を提供することが有用である。１．２５から５、又は１．２５から４、又は１．５から３も有用であることが判明している。ギア減速は、出力シャフトからの回転速度に比べて、ブラシの回転速度の低下につながる。このようにして、ブラシは出力シャフトより低速で回転する。
【００１５】
第１アタッチメントが第１ギア減速を提供するギアボックスを備え、第２アタッチメントが第２ギア減速を提供するギアボックスを備える場合において、第１ギア減速は、第２減速に比べて大きく、その比は１から５又は２から３となるべきである。
【００１６】
更に第１アタッチメントに備えられたブラシヘッドは、特定範囲の平均直径を持つことが有用であることが分かった。ブラシが円形形状の場合は、平均直径は標準の直径となる。ブラシが非円形形状の場合は、平均直径は実際の非円形ブラシの面積と等しい円形ブラシの直径である。平均直径として、１ｃｍから７ｃｍ又は３ｃｍから５ｃｍが有用であることが判明している。そのような直径は、装置がユーザの手で握られている場合、皮膚トリートメント装置を容易に扱えること及び皮膚に適切な強さの力を適用することを可能にする。ギア減速と、センチメートルで表した平均直径の比が１から２の場合に、装置が効率的に、しかも十分優しく使用できることも判明した。一例として、平均直径が４センチメートル、よってセンチメートル値が４のブラシは、ギア減速２が有用である。これはまた、電池で駆動できて、しかも効率的な皮膚トリートメント処理に十分な力を供給する駆動ユニットも提供できる。適切なギア減速を選ぶことによって、駆動ユニットの損傷回避の助けともなるであろう。第１アタッチメントを手動操作する時、大き過ぎることのない力が駆動ユニットに伝達されるべきである。上述したギア減速がこの場合の助けとなる。
【００１７】
更に駆動ユニットとギアボックスの保護のため、係合解除機構を備えることができる。第１アタッチメントのこのような係合解除機構は、例えば、ブラシとシャーシを支持してギアボックスと連結された回転支持エレメントのような、皮膚トリートメントエレメントを支えるシャーシと駆動ユニットとの切り離しを可能とする。このような係合解除機構を以下のように備えることが有用である。すなわち、駆動ユニットはギアボックス等の出力エレメント及び回転支持エレメントを備え、回転支持エレメントは突起を備え、アタッチメントは皮膚トリートメントエレメント及び皮膚トリートメントエレメントのためのシャーシを備え、シャーシは駆動ユニットの回転支持エレメントの突起と係合する多数の凹部を備え、シャーシは回転支持エレメントに支持されることが可能で、かつ、突起は凹部との係合位置に導かれることができるとともに、シャーシが回転支持エレメントによって支持されている間には、凹部との係合解除位置に導かれることが可能である。凹部は歯付きリングを形成することが有用である。これにより、近接位置に多くの凹部を提供できる。突起の形状をラッチ形状、例えばバネによって付勢されたラッチ形状とすることが有用である。
【００１８】
第１アタッチメントと駆動ユニットとを、偏心部を通して連結することも同様に有用である。これによって第１アタッチメントの駆動が効率化される。
【００１９】
有用な第１アタッチメントのギア減速は、下記を提供することによって達成することができる。すなわち、第１アタッチメントは、回転運動を駆動ユニットから駆動軸線に伝達するための駆動軸を備え、駆動軸はスプロケットと連結され、スプロケットは冠歯車と係合し、冠歯車は駆動軸線と連結される。
【００２０】
本発明では、以下の工程を備える人の皮膚を処理する方法が有用である：
−振動ブラシで皮膚を処理する工程であって、駆動ユニットと、ブラシを備えた第１アタッチメントと、を備えた皮膚トリートメント装置を用いて皮膚を処理する工程と；
−皮膚から体毛を除去する工程であって、駆動ユニットと、脱毛又は毛抜きユニットを備えた第２アタッチメントと、を備えた皮膚トリートメント装置を用いて体毛を除去する工程と；を備え、
−前記駆動ユニットは第１設定速度で作動することができ、前記設定速度は両工程に用いられる方法。
【００２１】
本方法は異なる順序で行うことができる。例えば、まず体毛を皮膚から除去し、続く工程にて振動ブラシで皮膚を処理することができる。この方法は体毛除去処理の効率を上げることはないが、マッサージと鎮静効果を提供できる。もしこの方法に皮膚又はブラシにローションを塗る更なる工程を含むならば、鎮静効果を高めることができる。
【００２２】
これに代えて、振動ブラシでの皮膚の処理を、皮膚から体毛を除去する前に行うことができる。この工程順序は、体毛除去の効率を向上させることが判明した。一つの効率的な処理として、皮膚から体毛除去する工程の前に２４から７２時間ブラシで皮膚の処理を行う。ブラッシング処理は皮膚からの体毛除去処理の準備とみなされる。既に説明したように、皮膚表面の粒子の除去が、この効果の実現に寄与しうる。このブラッシング工程においては、皮膚にある程度のストレスを引き起こす。別の皮膚トリートメント工程を適用する前の２４から７２時間の待機によって、皮膚が回復する。あるいは、振動ブラシで皮膚を処理する工程を、皮膚から体毛を除去する工程の前に６０から１分行う。順応する可能性があるものの、皮膚はわずかに増大したストレスに晒され、この２つの処理のタイミングにより、両工程の実施を基本的に１回で行えることとなり、特に浴場など一か所でできるため、時間効率の良い体毛除去過程が実現される。いずれの場合も、特に脱毛処理をした場合、しかし脱毛処理に限ることなく、ブラッシングによる皮膚の前処理は、体毛除去処理の効率を著しく向上させるであろう。第１及び第２アタッチメントを、上述したギア減速比で使うことで、特定の効果が得られる。
【００２３】
１つの同じ駆動ユニットを、第１と第２アタッチメントと共に使用できることは特に有益である。特に駆動ユニットで４通りの速度設定が可能な場合、例として、第１（より遅い）及び第２（より速い）速度の場合である。様々なユーザが、概して個人的な好みに応じて個々の速度レベルを選択するであろう。このような好みは、皮膚の性状に影響されうる。例えば、より敏感な皮膚を持つユーザは、多くの場合、より遅い速度を使うであろう。ユーザは、同一の駆動ユニット及び同じ個人用の速度設定で、第１及び第２アタッチメントを使うことができる。例として、より遅い速度が使われた場合、両方の処理工程はこの特定のユーザに好まれる比較的優しいものとなろう。第１アタッチメントと相対的な第２アタッチメントのギア減速レベルは、両方の処理工程において、ほとんどのユーザが個人の速度設定を再適用するような、典型的なユーザ習慣に適合するように選択することができる。
【００２４】
図１は本発明の本質的要素と共に第１アタッチメントを備えた皮膚トリートメント装置１０を示す。装置１０は駆動ユニット２０を備える。駆動ユニットは、ある出力装置に一般的に回転又は振動運動を提供するモータを備える。モータは一般的に、電池によって、望ましくは再充電可能な電池によって駆動できる電動モータである。駆動ユニット２０は、ユニットをオン若しくはオフにすること、及び／又は別の作動モードを選択するためのスイッチ２２を備えている。スイッチ２２は、位置２４に合わせることで第１速度を選択でき、位置２６に合わせることで第２速度を選択できる。
【００２５】
アタッチメント３０は駆動ユニット２０に連結させることができる。多様な適切な連結手段が良く知られているが、多くの場合、ポジティブ適合が有用である。他のアタッチメントも駆動ユニットに連結することができ、例えばアタッチメント３０は第１アタッチメントの役目を果たし、更に別のアタッチメントが第２又は第３アタッチメントの役目を果たすことができ、これらも同一の駆動ユニット２０に連結できる。示されたように、アタッチメント３０はブラシ３２を備える。ここではブラシという用語を広い意味で使い、他の分野で知られているように、多様な材料からなる従来の毛材を備えることができる用具を指す。ブラシはゴム製の用具を備えても良く、これらは毛材形状でもよいし、又は棒又は紐形状でもよい。ブラシ３２は、一般的に外形は円形であるが、別の形状でもよい。
【００２６】
図２は同じ装置２０の側面を示す。この側面図から明らかなように、駆動ユニットの主軸線とブラシ３２の回転軸線は、互いの方向に傾いている。９０°から１３５°及び１００°から１２０°の範囲の角度が、操作に都合がよく効率的であることが判明している。この側面図から容易に判るように、アタッチメント３０はギアボックス６０を備えていて、その上にブラシ３２がブラシシャーシ３４と共に取り付けられている。ギアボックス６０は、回転支持エレメント５０を通してブラシシャーシ３４に連結されているが、この図面では、ブラシシャーシ３４とギアボックス６０との間のリングのような連結構造体としてのみ見ることができる。
【００２７】
図３は本発明の本質的要素と共に第２アタッチメントを備えた皮膚トリートメント装置１０を示す。第２アタッチメントは脱毛アタッチメント４０である。脱毛アタッチメント４０は脱毛シリンダ４２を備える。脱毛シリンダ４２は皮膚に接触することができる。脱毛シリンダ４２はその主軸線（図３では水平方向に位置する）の周りを回転する。回転は上述した駆動ユニット２０によって誘発される。脱毛シリンダ４２は、体毛を引き抜くことができる毛抜きを備えている。装置の誘導を容易にするために、及び痛みの感覚をある程度低減するために、皮膚接触ローラ４６が配置されている。ローラは付加的なマッサージ機能も提供することができる。このように本発明は皮膚トリートメント装置１０に広く関連し、皮膚トリートメント装置１０は、駆動装置２０及び第１アタッチメント３０及び第２アタッチメント４０と、を備え、第１アタッチメント３０は、通常皮膚に垂直な軸線周りを回転するブラシ又は皮膚トリートメント用具を備え、第２アタッチメント４０は、皮膚に平行な軸線周りを回転する皮膚接触ローラ４６を備える。
【００２８】
図４は第２アタッチメントを備えた皮膚トリートメント装置１０の一部切り取り側面図を示す。この図からギアボックス６０の詳細を容易に知ることができる。駆動ユニット２０から動力が（入力）駆動軸６４に伝達される。駆動軸にはスプロケット６６が取り付けられている。スプロケットと協働するために冠歯車６８が設けられている。冠歯車６８は駆動軸線７０に取り付けられている。この軸線は、駆動軸６４に対して約１１０°の角度に傾斜される。９０°から１３５°及び１００°から１２０°の範囲の角度が、操作に都合がよく効率的であることが判明している。このようにして、全体的に、２段階の減速ユニットとして働くアングル歯車が配置される。ギア（又は速度）減速は１．２５から１０倍とすることができる。１．２５から５、又は１．２５から４、又は１．５から３も有用であることが判明している。この堅牢な構造は、ギアボックス６０の外形の内部に容易にはまることも明らかである。
【００２９】
駆動軸線７０は（側面図から分かるように）中央支持軸線７２と平行である。中央支持軸線７２は従動軸線ではない。このようにして中央支持軸線７２は、回転支持エレメント５０の回転支持を行う。従って、回転支持エレメント５０は、支持軸線７２周りを動く１自由度を有する。
【００３０】
回転支持エレメント５０は、ラッチ５４が取り付けられた回転板５２を備えている。ラッチ５４は、バネエレメント５６によってバネ付勢されている。更に支持板５８が回転板５２の上に取り付けられている。支持板５８は、皮膚トリートメントエレメント（図示されない）の支持を提供する。回転振動運動を回転支持エレメント５０に与えることができる。この運動は駆動軸線７０によって伝達される。この駆動軸線は偏心部７４を有する。偏心部７４は、偏心ピン７８を有する偏心輪７６を備えている。ピン７８は回転板５２のスロット（ここで図示されない）と協働しうる。
【００３１】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【図１】
2014521410.tif 000003
【図２】
2014521410.tif 000004
【図３】
2014521410.tif 000005
【図４】
2014521410.tif 000006
【国際調査報告】
2014521410.tif 000007
2014521410.tif 000008